(57)【要約】【課題】既設の電力監視システムに対し、アプリケーションを大規模に改造することなく、ユーザからの種々の電力関連情報の監視点数の増加させる要求に対応させる。【解決手段】建造物内の各負荷の電力量、電力、電流、接点等の電力関連情報を収集し、この電力関連情報を電力関連情報信号に変換する情報収集装置１と、電力関連情報信号を伝送させる伝送路２と、伝送路を介して取り込まれた電力関連情報信号を基に電力関連情報を画面に表示して監視できるようにした情報監視装置３０とを備えて構成する。情報監視装置３０はデータ収集機能部３ａと電力関連情報記憶部３ｂとマンマシンインターフェース機能部３ｃとを備える。データ収集機能部のデータ収集アプリケーションプログラム５ａと、マンマシンインターフェース機能部のマンマシンインターフェースアプリケーションプログラム５ｂとを個別に動作させる。【選択図】図１
2006129618.tif 000002
【特許請求の範囲】
【請求項１】
建造物内の各負荷の電力量、電力、電流、接点等の電力関連情報を収集し、前記電力関連情報を電力関連情報信号に変換する情報収集装置と、前記電力関連情報信号を伝送させる伝送路と、前記伝送路を介して取り込まれた前記電力関連情報信号を基に前記電力関連情報を画面に表示して監視できるようにした情報監視装置とを備えて構成される電力監視システムにおいて、
前記情報監視装置はデータ収集機能部と電力関連情報記憶部とマンマシンインターフェース機能部とを備え、
前記データ収集機能部のデータ収集アプリケーションプログラムと、マンマシンインターフェース機能部のマンマシンインターフェースアプリケーションプログラムとを個別に動作させる電力監視システム。
【請求項２】
前記情報監視装置は、１つのコンピュータにより構成され、前記データ収集アプリケーションプログラム及び前記マンマシンインターフェースアプリケーションプログラムを前記コンピュータに格納した請求項１に記載の電力監視システム。
【請求項３】
前記情報監視装置は、２つのコンピュータにより構成され、前記マンマシンインターフェースアプリケーションプログラム及び前記データ収集アプリケーションプログラムを前記コンピュータにそれぞれ格納した請求項１に記載の電力監視システム。
【請求項４】
前記情報監視装置は、３つ以上のコンピュータにより構成され、前記マンマシンインターフェースアプリケーションプログラム及び前記データ収集アプリケーションプログラムを前記コンピュータの２つにそれぞれ格納すると共に、前記電力関連情報記憶部を前記コンピュータの残りに備えた請求項１に記載の電力監視システム。
【発明の詳細な説明】
【技術分野】
【０００１】
本発明は、工場、ビル等のような建造物内に設けられ、建造物内の各負荷の電力量、電力、電流、接点等の電力関連情報を画面に表示して監視できるようにした電力監視システムに関するものである。
【背景技術】
【０００２】
工場、ビル等のような建造物の電気室には受配電設備が収容されており、ここから各設備または各階へ、建造物内に敷設された動力線、電灯線等の電力線を介して動力、電灯負荷等への電力供給を行っている。これらの各負荷の電力量、電力、電流、接点等の電力関連情報を、電気室で表示して監視できるような電力監視システムが上記建造物に設けられている。
【０００３】
図４は従来の電力監視システムのブロック図である。図示するように、図示しないセンサにより検出された上記電力関連情報を収集し、これを電力関連情報信号に変換する情報収集装置１と、この電力関連情報信号を伝送させる伝送路２と、伝送路２を介して取り込まれた電力関連情報信号を基に上記電力関連情報を画面に表示して監視できるようにした情報監視装置３とを備えて構成されており、情報収集装置１と情報監視装置３とが伝送路２に接続されている。このような構成は、特許文献１に示されている。なお、伝送路２としては、上記建造物内に敷設されているＬＡＮまたは新たに敷設される専用線である。
【０００４】
情報監視装置３は、例えば、コンピュータ（パソコン）により構成され、データ収集機能部３ａと電力関連情報記憶部３ｂとマンマシンインターフェース機能部３ｃとを備えており、データ収集機能部３ａとマンマシンインターフェース機能部３ｃとのアプリケーションプログラム（以下、アプリケーションという。）を、統合した１つのアプリケーション５が格納されている。
【０００５】
統合アプリケーション５は、データ収集機能部３ａに対し、情報収集装置１に一定周期でポーリングして電力関連情報信号を取り込ませ、それを電力関連情報記憶部３ｂに記憶させるようにする。また、マンマシンインターフェース機能部３ｃに対し、電力関連情報記憶部３ｂから電力関連情報信号を取得させ、この電力関連情報信号を基に上記電力関連情報を画面に表示して監視できるようにする。
【特許文献１】特開平１０−２５７６７３号公報（図１）
【発明の開示】
【発明が解決しようとする課題】
【０００６】
従来の電力監視システムでは、統合アプリケーション５が電力関連情報の監視点数の増加を考慮することなく設計されているために、ユーザからの種々の電力関連情報の監視点数を増加させる変更を、既設の電力監視システムに対して要求される場合には、アプリケーションを改造しなければならないという問題がある。
【０００７】
本発明の目的は、既設の電力監視システムに対し、アプリケーションを大規模に改造することなく、ユーザからの種々の電力関連情報の監視点数の増加させる要求に対応させた電力監視システムを提供することにある。
【課題を解決するための手段】
【０００８】
第１の発明は、建造物内の各負荷の電力量、電力、電流、接点等の電力関連情報を収集し、電力関連情報を電力関連情報信号に変換する情報収集装置と、電力関連情報信号を伝送させる伝送路と、伝送路を介して取り込まれた電力関連情報信号を基に電力関連情報を画面に表示して監視できるようにした情報監視装置とを備えて構成される電力監視システムを対象とし、情報監視装置はデータ収集機能部と電力関連情報記憶部とマンマシンインターフェース機能部とを備え、データ収集機能部のデータ収集アプリケーションプログラムと、マンマシンインターフェース機能部のマンマシンインターフェースアプリケーションプログラムとを個別に動作させるようにしたものである。
【０００９】
第２の発明は、情報監視装置は１つのコンピュータにより構成され、データ収集アプリケーションプログラム及びマンマシンインターフェースアプリケーションプログラムをコンピュータに格納したものである。
【００１０】
第３の発明は、情報監視装置は２つのコンピュータにより構成され、マンマシンインターフェースアプリケーションプログラム及びデータ収集アプリケーションプログラムをコンピュータにそれぞれ格納したものである。
【００１１】
第４の発明は、情報監視装置は３つ以上のコンピュータにより構成され、マンマシンインターフェースアプリケーションプログラム及びデータ収集アプリケーションプログラムをコンピュータの２つにそれぞれ格納すると共に、電力関連情報記憶部をコンピュータの残りに備えたたものである。
【発明の効果】
【００１２】
以上のように、第１の発明によれば、データ収集アプリケーション及びマンマシンインターフェースアプリケーションが電力関連情報の監視点数の増加を考慮して設計されているので、ユーザからの種々の電力関連情報の監視点数を増加させる変更を、既設の電力監視システムに対して要求される場合には、これらのアプリケーションを大規模に改造させることなくユーザの要求に対応させることができる。
【００１３】
第２の発明によれば、データ収集アプリケーション及びマンマシンインターフェースアプリケーションが電力関連情報の監視点数の増加を考慮して設計されているので、ユーザからの種々の電力関連情報の監視点数を大きく増加させる変更を、既設の電力監視システムに対して要求される場合には、これらのアプリケーションを大規模に改造させることなくユーザの要求に対応させることができる。
【００１４】
第３の発明によれば、データ収集アプリケーション及びマンマシンインターフェースアプリケーションが電力関連情報の監視点数の増加を考慮して設計されているので、ユーザからの種々の電力関連情報の監視点数をさらに大きく増加させる変更を、既設の電力監視システムに対して要求される場合には、これらのアプリケーションを大規模に改造させることなくユーザの要求に対応させることができる。
【００１５】
第４の発明によれば、データ収集アプリケーション及びマンマシンインターフェースアプリケーションが電力関連情報の監視点数の増加を考慮して設計されているので、ユーザからの種々の電力関連情報の監視点数を大幅に増加させる変更を、既設の電力監視システムに対して要求される場合には、これらのアプリケーションを大規模に改造させることなくユーザの要求に対応させることができる。
【発明を実施するための最良の形態】
【００１６】
図１は本発明に係る電力監視システムの第１の実施形態を示すブロック図である。図示するように、上記電力量、電力、電流、接点等の電力関連情報を収集し、電力関連情報信号に変換する情報収集装置１と、伝送路２と、情報監視装置３０とを備えて構成されており、情報収集装置１と情報監視装置３０とが伝送路２に接続されている。
【００１７】
情報監視装置３０は、１つのコンピュータとして、例えば、１つのパソコンにより構成されており、データ収集機能部３ａと電力関連情報記憶部３ｂとマンマシンインターフェース機能部３ｃとが備えられ、また、データ収集アプリケーション５ａ及びマンマシンインターフェースアプリケーション５ｂが格納されている。データ収集アプリケーション５ａはデータ収集機能部３ａに、マンマシンインターフェースアプリケーション５ｂマンマシンインターフェース機能部３ｃに対応して設けられ、これらのアプリケーション５ａ，５ｂをそれぞれ個別に動作させるようになっている。
【００１８】
データ収集アプリケーション５ａは、データ収集機能部３ａに対し、情報収集装置１に一定周期でポーリングして電力関連情報信号を取り込ませ、それを電力関連情報記憶部３ｂに記憶させるようにする。マンマシンインターフェースアプリケーション５ｂは、マンマシンインターフェース機能部３ｃに対し、電力関連情報記憶部３ｂから電力関連情報信号を取得させ、この電力関連情報信号を基に上記電力関連情報を画面に表示して監視できるようにする。
【００１９】
このように、本実施形態では、アプリケーション５ａ，５ｂが電力関連情報の監視点数の増加を考慮して設計されているので、ユーザからの種々の電力関連情報の監視点数を大きく増加させる変更を、既設の電力監視システムに対して要求される場合には、アプリケーションの大規模改造を必要としない対応が可能となる。
【００２０】
図２は本発明に係る電力監視システムの第２の実施形態を示すブロック図である。図示するように、情報収集装置１と伝送路２と情報監視装置３０とを備えて構成されている。  
【００２１】
情報監視装置３０は、２つのコンピュータとして、例えば、２つのパソコンにより構成されており、第１のパソコン３１には、データ収集機能部３ａと電力関連情報記憶部３ｂとが備えられ、また、データ収集アプリケーション５ａが格納されている。第２のパソコン３２には、マンマシンインターフェース機能部３ｃが備えられ、また、マンマシンインターフェースアプリケーション５ｂが格納されている。データ収集アプリケーション５ａはデータ収集機能部３ａに、また、マンマシンインターフェースアプリケーション５ｂはマンマシンインターフェース機能部３ｃに対応して設けられ、これらのアプリケーション５ａ，５ｂをそれぞれ個別に動作させるようになっている。第１及び第２のパソコン３１，３２は、伝送路２にそれぞれ接続されている。なお、電力関連情報記憶部３ｂを、第２のパソコン３２に備えてもよい。
【００２２】
データ収集アプリケーション５ａは、データ収集機能部３ａに対し、情報収集装置１に一定周期でポーリングして電力関連情報信号を取り込ませ、それを電力関連情報記憶部３ｂに記憶させるようにする。マンマシンインターフェースアプリケーション５ｂは、マンマシンインターフェース機能部３ｃに対し、電力関連情報記憶部３ｂから電力関連情報信号を、伝送路２を介して取得させ、この電力関連情報信号を基に上記電力関連情報を画面に表示して監視できるようにする。
【００２３】
このように、本実施形態では、アプリケーション５ａ，５ｂが電力関連情報の監視点数の増加を考慮して設計されているので、ユーザからの種々の電力関連情報の監視点数をさらに大きく増加させる変更を、既設の電力監視システムに対して要求される場合には、アプリケーションの大規模改造を必要としない対応が可能となる。
【００２４】
図３は本発明に係る電力監視システムの第３の実施形態を示すブロック図である。図示するように、情報収集装置１と伝送路２と情報監視装置３０とを備えて構成されている。  
【００２５】
情報監視装置３０は、３つのコンピュータとして、例えば、３つのパソコンにより構成されており、第１のパソコン３１には、データ収集機能部３ａが備えられ、また、データ収集アプリケーション５ａが格納されている。第２のパソコン３２には、マンマシンインターフェース機能部３ｃが備えられ、また、データ収集アプリケーション５ｂが格納されている。第３のパソコン３３には、電力関連情報記憶部３ｂが備えられている。データ収集アプリケーション５ａはデータ収集機能部３ａに、また、マンマシンインターフェースアプリケーション５ｂはマンマシンインターフェース機能部３ｃに対応して設けられ、これらのアプリケーション５ａ，５ｂをそれぞれ個別に動作させるようになっている。第１ないし第３のパソコン３１，３２，３３は、伝送路２にそれぞれ接続されている。
【００２６】
データ収集アプリケーション５ａは、データ収集機能部３ａに対し、情報収集装置１に一定周期でポーリングして電力関連情報信号を取り込ませ、それを伝送路２を介して電力関連情報記憶部３ｂに記憶させるようにする。マンマシンインターフェースアプリケーション５ｂは、マンマシンインターフェース機能部３ｃに対し、電力関連情報記憶部３ｂから電力関連情報信号を、伝送路２を介して取得させ、この電力関連情報信号を基に上記電力関連情報を画面に表示して監視できるようにする。
【００２７】
このように、本実施形態では、アプリケーション５ａ，５ｂが電力関連情報の監視点数の増加を考慮して設計されているので、ユーザからの種々の電力関連情報の監視点数を大幅に増加させる変更を、既設の電力監視システムに対して要求される場合には、アプリケーションの大規模改造を必要としない対応が可能となる。
【００２８】
上記の第３の実施形態において、ユーザからの種々の電力関連情報の監視点数をさらに大幅に増加させる変更を、既設の電力監視システムに対して要求される場合には、パソコンを増やして、そのパソコンに電力関連情報記憶部３ｂを備える。
【００２９】
上記の各実施形態の電力関連情報記憶部３ｂは、データベースであってもよい。
【図面の簡単な説明】
【００３０】
【図１】本発明に係る電力監視システムの第１の実施形態を示すブロック図である。
【図２】本発明に係る電力監視システムの第２の実施形態を示すブロック図である。
【図３】本発明に係る電力監視システムの第３の実施形態を示すブロック図である。
【図４】従来の電力監視システムのブロック図である。
【符号の説明】
【００３１】
１  情報収集装置
２  伝送路
３０  情報監視装置
３ａ  データ収集機能部
３ｂ  電力関連情報記憶部
３ｃ  マンマシンインターフェース機能部
５ａ  データ収集アプリケーションプログラム
５ｂ  マンマシンインターフェースアプリケーションプログラム
３１，３１，３２  コンピュータ
【図１】
2006129618.tif 000003
【図２】
2006129618.tif 000004
【図３】
2006129618.tif 000005
【図４】
2006129618.tif 000006